(57)【要約】【課題】再熱除湿運転時に新たな室内熱交温度検出手段を設けず、室外熱交温度検出手段により検出された値によって、室外送風装置及び、膨張弁開度を制御する空気調和機を提供すること。【解決手段】冷凍サイクルに冷媒を循環させる圧縮機と、前記冷凍サイクルを構成する第１の熱交換部および第２の熱交換部に分割された室内熱交換器と、第１および第２の熱交換部の間に減圧器を設け、また、室外熱交換器と、室外熱交温度検出手段、室外送風装置、膨張弁を設けた空気調和機において、前記冷凍サイクルが再熱除湿運転時には、前記室外熱交温度検出手段によって検出された値により室外送風装置の速度を可変制御する。【選択図】図１ 
2005201489.tif 000002
【特許請求の範囲】
【請求項１】
圧縮機と、室外熱交換器と、室外熱交換器温度検出手段と、室外送風装置と、膨張弁と、第１の熱交換部および第２の熱交換部に分割された室内熱交換器と、前記第１および第２の熱交換部の間に減圧器を設けて冷凍サイクルを構成する空気調和機において、前記冷凍サイクルが再熱除湿運転下にある時に、前記室外熱交換器温度検出手段によって検出された値が第１の所定値以下の場合には室外送風装置の速度アップを禁止させる制御を行なうことを特徴とする空気調和機。
【請求項２】
冷凍サイクルが再熱除湿運転下にある時に、室外熱交換器温度検出手段によって検出された値が第２の所定値以下の場合は膨張弁の開度を所定開度開き、第２の所定値以上で且つ第３の所定値以下の場合は膨張弁開度を固定し、第３の所定値以上の場合には圧縮機より吐出された温度により膨張弁を制御する吐出温度制御となるようにすることを特徴とする、請求項１に記載の空気調和機。
【請求項３】
室内側と室外側を接続する内外接続配管の長さに応じて、所定値を温度補正値により補正することを特徴とする、請求項２に記載の空気調和機。
【請求項４】
室内側の吸込温度と室外側の吸込温度の差に応じて、所定値を温度補正値により補正することを特徴とする、請求項２〜３のいずれかに記載の空気調和機。
【発明の詳細な説明】
【技術分野】
【０００１】
本発明は、冷凍サイクルが再熱除湿運転を行う空気調和機において、室外熱交温度検出手段による除湿運転の制御に関するものである。
【背景技術】
【０００２】
従来、例えば空気調和機は、再熱除湿運転を行うときは、室内側の室内熱交換器を再熱の働きをなす第１の熱交換部と冷却の働きをなす第２の熱交換部の２つに分割して構成し、第１および第２の熱交換部の間に減圧器を設け、また再熱側の熱交換部と室外熱交換器との間に膨張弁を挿入して冷凍サイクルを構成していた。そして、圧縮機によって圧縮された冷媒を室外熱交換器、全開状態の膨張弁、室内熱交換器の第１の熱交換部、減圧器、第２の熱交換部の順に循環させ、室内熱交換器の第１の熱交換部の入口側に設けられた室内熱交温度検知手段によって検知された値によって室外送風装置、膨張弁の制御を行うという発明が開示されている（例えば、特許文献１参照）。
【特許文献１】特開２００１−２６３８５８号公報
【発明の開示】
【発明が解決しようとする課題】
【０００３】
しかしながら、従来の技術では、次のような課題を有している。
【０００４】
即ち、再熱除湿運転によって除湿する場合、室内の温度が設定温度より低下しユーザに冷感を与えないようにするため室内熱交換器の第１の熱交換部の入口側に室内熱交温度検出手段を設け、室外送風装置、膨張弁を制御し、第２の熱交換器部の温度をコントロールしているが、制御を行うために室内熱交温度検出手段の部品が不可欠であり部品が増えコストアップになるという課題を有していた。
【０００５】
本発明は、従来技術の有するこのような問題点に鑑みてなされたものであり、従来冷凍サイクル運転時の過負荷保護等として用いられていた室外熱交温度検出手段を室内熱交温度検出手段の代わりとして用いることにより、再熱除湿運転時の制御を新たな部品を追加せず行うとともに、使用者の快適性を損なわずに除湿運転を行う空気調和機を提供することを目的としている。
【課題を解決するための手段】
【０００６】
上記目的を達成するために、本願発明の空気調和機は、圧縮機と、室外熱交換器と、室外熱交換器温度検出手段と、室外送風装置と、膨張弁と、第１の熱交換部および第２の熱交換部に分割された室内熱交換器と、前記第１および第２の熱交換部の間に減圧器を設けて冷凍サイクルを構成する空気調和機において、前記冷凍サイクルが再熱除湿運転下にある時に、前記室外熱交換器温度検出手段によって検出された値が第１の所定値以下の場合には室外送風装置の速度アップを禁止させる制御を行なうものである。
【０００７】
これによって、室外熱交温度検出手段を室内熱交温度検出手段の代わりとして用いることにより、再熱除湿運転時の制御を新たな部品を追加せず行うとともに、室内温度を低下させずに除湿運転を行う空気調和機を提供することができる。
【発明の効果】
【０００８】
本願発明の空気調和機は、再熱除湿運転時の制御を新たな部品を追加せず行うことが可能でかつ、室内の温度が設定温度より低下するなどして使用者の快適性を損なうことなく除湿を行うことができる。
【発明を実施するための最良の形態】
【０００９】
第１の発明は、冷凍サイクルに冷媒を循環させる圧縮機と、前記冷凍サイクルを構成する第１の熱交換部および第２の熱交換部に分割された室内熱交換器と、第１および第２の熱交換部の間に減圧器を設け、また、室外熱交換器と、室外熱交温度検出手段及び、室外送風装置、膨張弁を設けた空気調和機であって、前記冷凍サイクルが再熱除湿運転時に、前記室外熱交温度検出手段によって検出された値がある所定値Ａ以下のとき、室外送風装置の速度アップを禁止させることにより室内熱交換器の蒸発側の熱交温度が低下するのを防止し、本体結露を防ぐことができる。また、室外熱交温度検出手段を室内熱交温度検出手段の代わりとして用いるため、再熱除湿運転時の制御を新たな部品を追加せず行うとともに、室内温度を低下させずに除湿運転を行うことができる。
【００１０】
第２の発明は、特に第１の発明の、冷凍サイクルが再熱除湿運転時に、室外熱交温度検出手段によって検出された値がある所定値Ｂ以下の場合は膨張弁の開度をＡ１開き、ある所定値Ｂ以上でかつ、ある所定値Ｃ以下の場合は膨張弁をロックさせ、ある所定値Ｃ以上の場合には膨張弁の開度を吐出温度制御とすることにより、室内熱交温度が低下
するのを防止し、室内温度を低下させずに除湿運転を行うことができるとともに、室外熱交温度検出手段を室内熱交温度検出手段の代わりとして用いるため、再熱除湿運転時の制御を新たな部品を追加せず行うことができる。
【００１１】
第３の発明は、特に第２の発明の、冷凍サイクルが再熱除湿運転時に、室外熱交温度検出手段によって検出された値と、ある所定値とを比較し室外送風装置と膨張弁の制御をする空気調和機において、室内側と室外側を接続する内外接続配管の長さに応じて、ある所定値に温度補正値を設けることにより、短配管、長配管においても室内温度を低下させずに除湿運転を行うことができる。
【００１２】
第４の発明は、特に第２〜３の発明の、冷凍サイクルが再熱除湿運転時に、室外熱交温度検出手段によって検出された値と、ある所定値とを比較し室外送風装置と膨張弁の制御をする空気調和機において、室内側の吸込温度と室外側の吸込温度の差に応じて、ある所定値に温度補正値を設けることにより、室内側と室外側の温度差が小さい場合、大きい場合においても室内温度を低下させずに除湿運転を行うことができる。
以下、本発明の実施の形態について、図面を参照しながら説明する。なお、この実施の形態によって本発明が限定されるものではない。
【００１３】
（実施の形態１）
まず図１〜図３を用いて本願発明の実施の形態１について説明する。最初に図１を用いて本実施例の形態にかかわる空気調和機の構成についてまた図２、図３で本実施例の制御概略を説明する。
【００１４】
図１は、本願発明にかかる空気調和機の構成概念図である。
【００１５】
図１における空気調和機では、冷凍サイクル１に冷媒を循環させる圧縮機２と、前記冷凍サイクル１を構成する第１の熱交換部４および第２の熱交換部５に分割された室内熱交換器３と、第１および第２の熱交換部の間に減圧器６を設け、また、室外熱交換器７と、室外熱交温度検出手段８及び、室外送風装置９、膨張弁１０を設けられている。
【００１６】
また、室内側の吸込み温度検出手段１２と室外側の吸込み温度検出手段１３が設けられており、従来再熱除湿運転における制御を行うために室内熱交温度検出手段を設けていたが、室外熱交温度検出手段８を室内熱交温度検出手段の代わりとして用いているため、再熱除湿運転時の制御を新たな部品を追加せずに行なっている。
【００１７】
次に図２、図３で本実施例の空気調和機の制御概略を説明する。図２で前記冷凍サイクル１が再熱除湿運転時に、前記室外熱交温度検出手段８によって検出された値ａがある所定値Ａ以上の場合には室内設定温度に合うように室外送風装置９の速度をアップ、ダウンさせる微調整を行い、ある所定値Ａ以下の場合には室外送風装置９の速度アップを禁止させる。この室外送風装置９の速度アップを禁止させることで前記圧縮機２の運転周波数がダウンした場合や、室外熱交温度が低下した場合、室内熱交換器の蒸発側の熱交温度が低下するのを防止し、室内温度を低下させずに除湿運転を行うことができ、本本体結露を防ぐことができる。
【００１８】
また本実施の形態では、図３のように前記冷凍サイクル１が再熱除湿運転時に、前記室外熱交温度検出手段８によって検出された値ａがある所定値Ｂ以下の場合は膨張弁１０の開度をＡ１開き室内熱交換器３に流れる冷媒の圧力を高め、室内熱交換器の蒸発側の熱交温度が低下するのを防止し、ある所定値Ｂ以上でかつ、ある所定値Ｃ以下の場合は膨張弁１０をロックさせ、ある所定値Ｃ以上の場合には、圧縮機２より吐出された温度により膨張弁を制御する吐出温度制御となるようにすることで室内温度を低下させずに除湿運転を行うことができる。
【００１９】
また本実施の形態では、ある所定値Ａ、Ｂ、Ｃを設けているが、上記空気調和機において、室内側と室外側を接続する内外接続配管１１の長さに応じて、ある所定値Ａ、Ｂ、Ｃに温度補正値ｂを設けることで内外接続配管１１分の圧損分を回避し、短配管、長配管においても室内温度を低下させずに除湿運転を行うことができる。
【００２０】
また本実施の形態では、ある所定値Ａ、Ｂ、Ｃを設けているが、上記空気調和機において、室内側吸込み温度検出手段１２により検出された温度値ｃと室外側吸込み温度検出手段１３により検出された温度値ｄの差に応じて、ある所定値Ａ、Ｂ、Ｃに温度補正値ｅを設けることで、室内側と室外側の温度差が小さい場合、大きい場合においても室内温度を低下させずに除湿運転を行うことができる。
【図面の簡単な説明】
【００２１】
【図１】本願発明にかかる実施の形態１を示す空気調和機の構成概念図
【図２】本願発明にかかる実施の形態１を示す空気調和機の制御概略図
【図３】本願発明にかかる実施の形態１を示す空気調和機の制御概略図
【符号の説明】
【００２２】
１  冷凍サイクル
２  圧縮機
３  室内熱交換器
４  第１の熱交換部
５  第２の熱交換部
６  減圧器
７  室外熱交換器
８  室外熱交温度検出手段
９  室外送風装置
１０  膨張弁
１１  内外接続配管
１２  室内側吸込み温度検出手段
１３  室外側吸込み温度検出手段
【図１】
2005201489.tif 000003
【図２】
2005201489.tif 000004
【図３】
2005201489.tif 000005